(57)【特許請求の範囲】
【請求項１】
移動無線デバイスの無線リンク制御方法であって、
送信する複数の新たなデータパケットのそれぞれを受信した後、リトライカウンタを零ではない最大整数リトライ値にリセットするステップと、
前記リトライカウンタが零ではないと、前記移動無線デバイスと無線通信ネットワークとの間に無線リソースを確立するためにサービス要求を送信するステップと、
無線リソースを確立するためにサービス要求のそれぞれを送信した後、前記リトライカウンタを減ずるステップと、
を含むことを特徴とする無線リンク制御方法。
【請求項２】
前記リセットするステップは、前記移動無線デバイスと前記無線通信ネットワークとの間のパケットデータプロトコルコンテキストがアクティブであり、かつ、前記無線通信ネットワークによって、データパケットを送信するための無線リソースが割り当てられていない間に実行されることを特徴とする請求項１に記載の方法。
【請求項３】
前記リトライカウンタを減じた後、次のサービス要求を送信する前に、リトライ間隔だけ待機するステップをさらに含むことを特徴とする請求項２に記載の方法。
【請求項４】
前記無線リソースは、データパケットを送信するための１つ以上の無線アクセスベアラを含むことを特徴とする請求項２に記載の方法。
【請求項５】
保留データパケットバッファを維持するステップと、
新たな保留データパケットのそれぞれを受信すると、前記保留データパケットバッファ内の１つ以上の保留データパケットを廃棄するステップと、
をさらに含むことを特徴とする請求項４に記載の方法。
【請求項６】
最も古い保留データパケットが、より新しい保留データパケットより先に廃棄されることを特徴とする請求項５に記載の方法。
【請求項７】
移動無線デバイスの無線リンク制御方法であって、
保留データパケットバッファ内のデータパケットのために、前記移動無線デバイスと無線通信ネットワークとの間に無線リソースを確立するための一連のサービス要求を送信するステップと、
前記送信した一連のサービス要求に対して無線リソースが割り当てられなかったときに、
前記保留データパケットバッファの閾値を最小閾値に設定するステップと、
前記設定した最小閾値を超えた総ての保留データパケット及び最も古い保留データパケットを廃棄するステップと、
前記無線通信ネットワークによって無線リソースが割り当てられるか、前記保留データパケットバッファが空になるまで、前記送信するステップと、前記廃棄するステップを繰り返すステップと、
を含むことを特徴とする無線リンク制御方法。
【請求項８】
前記保留データパケットバッファが空ではない場合、
前記廃棄するステップの後に、連続するサービス要求間のリトライ間隔が最大リトライ間隔値未満であると、前記リトライ間隔を増加させるステップをさらに含むことを特徴とする請求項７に記載の方法。
【請求項９】
前記リトライ間隔を増加させるステップは、前記最大リトライ間隔値に向けて前記リトライ間隔を２倍にすることを特徴とする請求項８に記載の方法。
【請求項１０】
前記割り当てられる無線リソースは、１つ以上の無線アクセスベアラであることを特徴とする請求項９に記載の方法。
【請求項１１】
前記無線リソースが割り当てられた後、前記リトライ間隔を初期リトライ間隔値にリセットするステップをさらに含むことを特徴とする請求項１０に記載の方法。
【請求項１２】
移動無線デバイスであって、
アプリケーションプロセッサと、
前記アプリケーションプロセッサとデータ通信する送受信機と、
を備えており、
前記送受信機は、
データパケットを受信し、
前記データパケットを無線通信ネットワークに送信し、
送信する新たなデータパケットのそれぞれを受信した後、リトライカウンタを零ではない最大整数リトライ値にリセットし、
前記無線通信ネットワークによって、前記データパケットを送信する無線リソースが割り当てられておらず、かつ、前記リトライカウンタが零ではないと、
前記移動無線デバイスと前記無線通信ネットワークとの間に無線リソースを確立するためにサービス要求を送信し、
前記無線リソースを確立するためにサービス要求のそれぞれを送信した後、前記リトライカウンタを減ずる、様に構成されている、
ことを特徴とする移動無線デバイス。
【請求項１３】
前記送受信機は、前記リトライカウンタを減じた後、リトライ間隔だけ待機する様にさらに構成されていることを特徴とする請求項１２に記載の移動無線デバイス。
【請求項１４】
前記送受信機は、所定の時間間隔内に、一連のサービス要求に対して前記無線通信ネットワークによって無線リソースが割り当てられないとき、ストール状態の通知を送信する様にさらに構成されていることを特徴とする請求項１２に記載の移動無線デバイス。
【請求項１５】
前記ストール状態の間、データパケットは、前記送受信機により少ない頻度で送信される様にさらに構成されていることを特徴とする請求項１４に記載の移動無線デバイス。
【請求項１６】
前記送受信機は、保留データバッファを維持し、前記ストール状態の間、前記保留データバッファ内の１つ以上の保留データパケットを廃棄する様にさらに構成されていることを特徴とする請求項１２に記載の移動無線デバイス。
【請求項１７】
最も古い保留データパケットが、より新たな保留データパケットより先に廃棄されることを特徴とする請求項１６に記載の移動無線デバイス。
【請求項１８】
前記ストール状態の間、前記保留データバッファ内に少なくとも１つのデータパケットを維持するために、データパケットが前記送受信機に送信される様にさらに構成されていることを特徴とする請求項１６に記載の移動無線デバイス。
【請求項１９】
移動無線デバイス内の無線リンクコントローラであって、
前記移動無線デバイス内において、送信する新たなデータパケットのそれぞれを受信した後、リトライカウンタを零ではない最大整数リトライ値にリセットし、
前記移動無線デバイスと無線通信ネットワークとの間のパケットデータプロトコルコンテキストがアクティブであり、かつ、前記無線通信ネットワークによって、データパケットを送信するための無線リソースが割り当てられていない間、
前記リトライカウンタが零ではないと、前記移動無線デバイスと前記無線通信ネットワークとの間に無線リソースを確立するためにサービス要求を送信し、
無線リソースを確立するためにサービス要求のそれぞれを送信した後、前記リトライカウンタを減ずる様に構成されている、
ことを特徴とする無線リンクコントローラ。
【請求項２０】
前記無線リンクコントローラは、前記リトライカウンタを減じた後、次のサービス要求を送信する前に、リトライ間隔だけ待機する様にさらに構成されていることを特徴とする請求項１９に記載の無線リンクコントローラ。
【請求項２１】
前記無線リンクコントローラは、
保留データパケットバッファを維持し、
新たな保留データパケットのそれぞれを受信すると、前記保留データパケットバッファ内の１つ以上の保留データパケットを廃棄する様にさらに構成されていることを特徴とする請求項１９に記載の無線リンクコントローラ。
【発明の詳細な説明】
【技術分野】
【０００１】
本発明の実施形態は、一般に無線移動通信に関する。特に、移動無線通信デバイスにおける無線アクセスネットワーク輻輳の期間中の無線リソースシグナリングに対する方法及び装置を説明する。
【背景技術】
【０００２】
携帯電話又は無線パーソナルデジタルアシスタント等の移動無線通信デバイスは、音声通信、テキストメッセージング、インターネット閲覧及び電子メール等を含む多種多様の通信サービスを提供できる。移動無線通信デバイスは、重複「セル」の無線通信ネットワークにおいて動作できる。各セルは、セルに配置された無線ネットワークサブシステム（ＲＮＳ）から拡張する無線信号サービスエリアの地域を提供する。無線ネットワークサブシステムは、汎ヨーロッパデジタル移動通信システム（ＧＳＭ（登録商標））ネットワークにおいて基地局トランシーバ（ＢＴＳ）を含むことができ、あるいはユニバーサル移動通信システム（ＵＭＴＳ）ネットワークにおいてノードＢを含むことができる。アイドル状態であるか能動的に接続されるかに関係なく、移動無線通信デバイスは、無線通信ネットワークにおいて「サービング」セルと関連付けられ、且つ移動無線通信デバイスが更に関連しうる隣接セルを認識できる。
【０００３】
移動無線通信デバイスは、無線通信ネットワークの無線アクセス部分に対する無線ネットワークサブシステムにより割り当てられた無線リソースを介して、場合によっては同時に音声接続及びデータ接続の双方をサポートできる。音声接続及びデータ接続は、移動無線通信デバイスを公衆交換電話網（ＰＳＴＮ）及び／又はパケットデータネットワーク（ＰＤＮ）に相互接続するコアネットワークの回路交換ドメイン及び／又はパケット交換ドメインを介する経路を更に含むことができる。データ接続が移動無線通信デバイスとパケットデータネットワークとの間で、プロトコルデータユニット（ＰＤＵ）としても既知であるパケットをルーティングするために、パケットデータプロトコル（ＰＤＰ）コンテキストがアクティベイトされる。ＰＤＰコンテキストをアクティベイトする際にいくつかの異なるネットワーク要素が関係し、且つＰＤＰコンテキストを確立するにはユーザが認識可能な時間の長さが必要であるため、送信するためのデータパケットがない場合にデータ接続がアイドル状態になった後でもＰＤＰコンテキストを維持することが好ましいだろう。しかし、無線アクセスネットワークにおける無線リソースが不足している可能性があり、且つ無線通信ネットワークがＰＤＰコンテキストを維持しつつ、アイドル期間中にデータ接続に対して割り当てられた無線リソースを解放できるため、データ接続を保存モードにする。公衆データネットワークに送信するための新しいデータパケットが移動無線通信デバイスに到着する場合、新しい無線リソースは、新しいデータパケットが転送される無線ネットワークサブシステムにより割り当てられる。
【０００４】
無線アクセスネットワークにおける通信トラフィックが高い期間中、無線ネットワークサブシステムは、データ接続のために必要とされる移動無線通信デバイスに新しい無線リソースを割り当てないことを選択できる。このような状況において、ＰＤＰコンテキストがアクティブなままであってよいのに対し、パケットの転送をサポートする基礎をなすデータ接続は使用不可である可能性がある。移動無線通信デバイスは、未送出のデータパケットを保留データバッファに蓄積し、且つ無線リソースが無線ネットワークサブシステムにより割り当てられるまで繰り返し無線リソースに対するサービス要求を提出できる。これらの繰り返しサービス要求は、不要なレベルのシグナリングトラフィックを既に過負荷をかけられた無線アクセスネットワークに加える可能性がある。
【発明の概要】
【発明が解決しようとする課題】
【０００５】
従って、無線アクセスネットワーク輻輳の期間中に、無線通信ネットワークの移動無線通信デバイスと無線ネットワークサブシステムとの間の無線リソースシグナリングを変更する必要がある。
【課題を解決するための手段】
【０００６】
本発明の実施形態は、一般に無線移動通信に関する。特に、移動無線通信デバイスにおける無線アクセスネットワーク輻輳の期間中の無線リソースシグナリングに対する方法及び装置を説明する。
【０００７】
一実施形態において、移動無線通信デバイスにおける無線リンク制御の方法は、少なくとも以下のステップを備えてよい。移動無線通信デバイスと無線通信ネットワークとの間のパケットデータプロトコルコンテキストがアクティブであり、且つデータパケットが送信される無線通信ネットワークにより無線リソースが割り当てられない間、移動無線デバイスは、保留データパケットが保留データパケットバッファに存在する時に繰り返し以下のステップを実行する。リトライカウンタは、送信するための新しいデータパケットの各々を受信した後に零でない最大整数リトライ値に設定される。リトライカウンタが零でない場合、移動無線デバイスの送受信機は、サービス要求を送信して移動無線通信デバイスと無線通信ネットワークとの間に無線リソースを確立する。各サービス要求を送信して無線リソースを確立した後、リトライカウンタは減じられる。
【０００８】
別の実施形態において、移動無線通信デバイスにおける無線リンク制御の方法は、少なくとも以下のステップを備えてよい。保留データパケットバッファのデータパケットに対して、移動無線デバイスは、一連のサービス要求を送信して移動無線デバイスと無線通信ネットワークとの間に無線リソースを確立する。送信された一連のサービス要求に応答して無線リソースが無線通信ネットワークにより割り当てられない場合、保留データパケットバッファに対する閾値は最小閾値に設定される。保留データパケットバッファの設定された閾値を上回る全ての保留データパケット及び最も古い保留データパケットは破棄される。無線リソースが無線通信ネットワークにより割り当てられるか、あるいは保留データパケットバッファが空になるまで、送信ステップ及び破棄ステップは繰り返される。
【０００９】
更に別の実施形態において、移動無線デバイスについて説明する。移動無線デバイスは、データパケットを生成するように構成されたアプリケーションプロセッサと、アプリケーションプロセッサからデータパケットを受信し且つデータパケットを無線通信ネットワークに送信するように構成された送受信機とを備える。送受信機は、送信するための新しいデータパケットの各々を受信した後にリトライカウンタを零でない最大整数リトライ値にリセットするように構成される。データパケットが送信される無線通信ネットワークにより割り当てられる無線リソースがなく、且つリトライカウンタが零でない場合、送受信機は、サービス要求を送信して移動無線デバイスと無線通信ネットワークとの間に無線リソースを確立するように構成される。送受信機は、各サービス要求を送信して無線リソースを確立した後にリトライカウンタを減ずるように構成される。
【００１０】
更なる一実施形態において、移動無線デバイスのプロセッサにより実行可能な非一時的なコンピュータプログラムコードを格納する非一時的なコンピュータ可読媒体は、保留データパケットバッファのデータパケットを受信した後に、一連のサービス要求を送信して移動無線デバイスと無線ネットワークとの間に無線リソースを確立する非一時的なコンピュータプログラムコードと、送信された一連のサービス要求に応答して無線リソースが割り当てられない場合に保留データパケットバッファの少なくとも１つの保留データパケットを破棄する非一時的なコンピュータプログラムコードと、無線リソースが無線ネットワークにより割り当てられるか、あるいは保留データパケットバッファが空になるまで送信及び破棄を繰り返す非一時的なコンピュータプログラムコードとを少なくとも含む。
【００１１】
本発明及びその利点は、添付の図面と共に以下の説明を参照することにより最もよく理解されるだろう。
【図面の簡単な説明】
【００１２】
【図１】無線セルラ通信ネットワーク内に配置された移動無線通信デバイスを示す図。
【図２】無線通信ネットワークに対する階層アーキテクチャを示す図。
【図３】移動無線通信デバイスのパケットデータ接続を示す状態遷移図。
【図４】移動無線通信デバイスの構成要素を示す図。
【図５】移動無線通信デバイスの無線通信ネットワークの要素への接続を示す図。
【図６】無線リソース割り当てが成功した場合の移動無線通信デバイスと無線通信ネットワークとの間のメッセージシーケンスを示す図。
【図７】無線リソース割り当てが失敗した場合の移動無線通信デバイスと無線通信ネットワークとの間のメッセージシーケンスを示す図。
【図８】無線リソース割り当てが失敗した場合の移動無線通信デバイスと無線通信ネットワークとの間の別のメッセージシーケンスを示す図。
【図９】無線リソース割り当てが失敗した場合の移動無線通信デバイスと無線通信ネットワークとの間の繰り返しサービス要求シーケンスを示す図。
【図１０】移動無線通信デバイスの一連の保留データパケットの結果得られた繰り返しサービス要求シーケンスを示す図。
【図１１】図１０の保留データパケットのシーケンスに対して限られた繰り返しサービス要求を含むサービス要求シーケンスを示す図。
【図１２】図１０の保留データパケットのシーケンスに対して益々遅延したサービス要求を含む別のサービス要求シーケンスを示す図。
【図１３】無線アクセスネットワーク輻輳中に無線通信ネットワークの移動無線通信デバイスと無線ネットワークサブシステムとの間の無線リソースシグナリングを変形する方法を示す図。
【図１４】無線アクセスネットワーク輻輳中に無線通信ネットワークの移動無線通信デバイスと無線ネットワークサブシステムとの間の無線リソースシグナリングを変形する第２の方法を示す図。
【発明を実施するための形態】
【００１３】
以下の説明において、多くの特定の詳細は、説明する実施形態の基礎となる概念を完全に理解するために説明される。しかし、説明される実施形態がこれらの特定の詳細のうちのいくつか又は全てを用いずに実施されてもよいことは、当業者には明らかとなるだろう。他の例において、基礎となる概念を不必要に隠蔽するのを回避するため、周知の処理ステップは詳細に説明されていない。
【００１４】
移動無線通信デバイスは、無線通信ネットワークを介して音声接続及びデータ接続の双方を含む多数のサービスを提供できる。移動無線通信デバイスが無線通信ネットワークに「接続」される場合及び「上位層」パケットデータプロトコル（ＰＤＰ）コンテキストが確立される場合、無線通信ネットワークを介した移動無線通信デバイスと外部のデータネットワークとのデータ接続は、「アクティブである」と考えられる。無線アクセスベアラ（ＲＡＢ）等の無線アクセスネットワークリソースは、無線通信ネットワークの無線アクセス部分において移動無線通信デバイスと無線ネットワークサブシステムとの間でプロトコルデータユニット（ＰＤＵ）とも呼ばれるパケットを転送するために使用可能である。無線リソースは、多数の移動無線通信デバイス間で共有される。無線通信ネットワークの無線アクセス部分に対して割り当てられた無線周波数帯域幅が限られた状態で、無線アクセスベアラは、移動無線通信デバイスから解放され、且つデータ接続がアイドル状態になる場合に再び割り当てられる。無線リソースが割り当てられなくても、ＰＤＰコンテキストはアクティブなままであってよい。この状態は、「保存モード」として既知だろう。
【００１５】
ＰＤＰコンテキストがアクティブな状態で、移動無線通信デバイスにおける上位層処理は、無線通信ネットワークに送信するためにデータパケットを下位層に送出し続けられる。しかし、無線通信ネットワークにより割り当てられた無線リソースを用いずに、データパケットを保留データバッファに蓄積できる。保留データバッファの新しいデータパケットの各々は、無線リソースに対する無線通信ネットワークにおいて移動無線通信デバイスから無線ネットワークサブシステム（ＲＮＳ）にサービス要求をトリガできる。ネットワーク輻輳の期間中、例えば移動無線通信デバイスからのサービス要求に対して十分な無線リソースを使用できない場合、無線リソースを割り当てられない。移動無線通信デバイスは、保留データバッファの保留パケット毎に最大数のリトライまで無線リソースに対するサービス要求を再提出できる。多数の保留上位層データパケットにより、多数のサービス要求リトライが生じる。そのようなサービス要求のシーケンスは、既に輻輳している無線通信ネットワークの無線アクセス部分にかなりのシグナリング負荷を加えうる。
【００１６】
無線通信ネットワークの無線アクセス部分における輻輳の期間中、サービス要求の数を制限し且つ無線アクセスネットワークへのシグナリング負荷を低減するために、１つ以上の種々のステップが単独で又は組み合わせて使用可能である。第１に、要求された無線リソースがあらゆる保留データパケットを送信するために移動無線通信デバイスにより使用可能である時、多数の保留データパケットに対するサービス要求を統合することにより、保留データパケット毎のサービス要求の総数を制限できる。第２に、保留データパケットに対して特定のサービス要求がなされていない場合でも、保留データバッファに対する閾値を低減することでより古いデータパケットをより早く破棄することにより、その保留データパケットの数を制限できる。第３に、サービス要求のシーケンスの各々がより長い期間にわたりシグナリング負荷を拡散するために保留データパケットをリトライした後、連続したサービス要求間の時間は長くなりうる。保留データバッファの保留データパケットの数を制限することと併せて、サービス要求の総数及び発生の頻度の双方をより減少できる。サービス要求間のリトライ間隔は最大数に制限され、ネットワーク輻輳が解消されると、移動無線通信デバイスが折よくサービス要求への応答を受信することを保証できる。無線アクセスネットワーク輻輳中に無線通信ネットワークの移動無線通信デバイスと無線ネットワークサブシステムとの間の無線リソースシグナリングを変形する方法及び装置の更なる詳細は、以下に説明される。
【００１７】
図１は、移動無線通信デバイス１０６が接続できる重複無線通信セルの無線通信ネットワーク１００を示す。各無線通信セルは、集中無線ネットワークサブシステムから拡張する地域を範囲に含むことができる。移動無線通信デバイス１０６は、無線通信ネットワーク１００において多数の種々のセルから通信信号を受信できる。各セルは、移動無線通信デバイス１０６からの異なる距離に配置される。移動無線通信デバイス１０６は、サービングセル１０２の無線ネットワークサブシステム１０４に接続され、且つ隣接セル１１０の無線ネットワークサブシステム１０８等の無線通信ネットワーク１００における隣接セルを認識できる。移動無線通信デバイス１０６をセルに接続する無線リソースは、制限され且つ多数の移動無線通信デバイス間で共有される。
【００１８】
図２は、ＵＭＴＳ及びＧＳＭの無線アクセスネットワーク要素の双方を含む無線通信ネットワークに対するハイブリッド階層アーキテクチャ２００を示す。ＧＳＭ無線通信ネットワークにおいて動作する移動無線通信デバイス１０６は、移動局（ＭＳ）２０４と呼ばれ、ＵＭＴＳネットワークにおいて動作する移動無線通信デバイス１０６は、ユーザ装置（ＵＥ）２０２と呼ばれる。（移動無線通信デバイス１０６は、ＧＳＭネットワーク及びＵＭＴＳネットワーク等の異なる無線ネットワーク技術を使用する多数の無線通信ネットワークに接続する機能を含むことができる。従って、以下の説明は、そのような「マルチネットワーク」デバイス及びシングルネットワークデバイスにも適用可能である。）ＭＳ２０４は、基地局サブシステム（ＢＳＳ）２１８として既知である無線ネットワークサブシステムを介してＧＳＭ無線通信ネットワークに接続できる。ＢＳＳ２１８は、ＭＳと無線通信ネットワークとの間で無線周波数信号を送受信する基地局トランシーバ（ＢＴＳ）２２０と、コアネットワーク２３６とＭＳ２０４との通信を管理する基地局制御装置（ＢＳＣ）とを備えてよい。ＧＳＭ無線通信ネットワークにおいて、ＭＳ２０４は、一度に１つのＢＳＳに接続される。ＭＳ２０４がＧＳＭ無線通信ネットワークにわたり移動する時、ＢＳＣ２２２は、異なるセルに配置された異なるＢＴＳ２２０へのＭＳ２０４のハンドオーバを管理できる。ＧＳＭ無線アクセスネットワークＢＳＳ２１８は、回路交換機能及びパケット交換機能を提供する集中コアネットワーク２３６に接続する。パケット交換機能は、ＭＳ２０４と外部のデータネットワークとの間でインターネットプロトコル（ＩＰ）を送信する汎用パケット無線サービス（ＧＰＲＳ）を提供できる。
【００１９】
コアネットワーク２３６は、外部の公衆交換電話網（ＰＳＴＮ）に対して音声トラフィックを搬送できる回路交換ドメイン２３８と、外部のパケットデータネットワーク（ＰＤＮ）に対してデータトラフィックを搬送できるパケット交換ドメイン２４０とを含むことができる。回路交換ドメイン２３８は、ゲートウェイ移動通信交換局（ＭＳＣ）（ＧＭＳＣ）２３０を介して他のネットワーク上でモバイル加入者を他のモバイル加入者又は加入者に接続する多数のＭＳＣ２２８を含むことができる。パケット交換ドメイン２４０は、１つ以上のゲートウェイＧＰＲＳサポートノード（ＧＧＳＮ）２２６を介してＰＤＮ２３４の他のデータソース及びデータシンクにモバイル加入者間のデータトラフィックをルーティングするサービングＧＰＲＳサポートノード（ＳＧＳＮ）２２４と呼ばれる多数のサポートノードを含むことができる。一般にコアネットワーク２３６は、異なる無線リンク技術を使用する多数の無線リンクアクセスネットワークサブシステムにより使用可能である。図２に示されるように、ＵＭＴＳ地上無線アクセスネットワーク（ＵＴＲＡＮ）２１４及びＧＳＭ  ＢＳＳ２１８の双方は、同一のコアネットワーク２３６に接続できる。
【００２０】
コアネットワーク２３６の回路交換ドメイン２３８及びパケット交換ドメイン２４０は、各々が並列に動作でき、種々の無線アクセスネットワークに同時に接続できる。ＵＭＴＳ無線アクセスネットワークにおけるＵＴＲＡＮ２１４は、多数の無線ネットワークサブシステム（ＲＮＳ）２１６を含むことができる。各ＲＮＳ２１６は、無線周波数信号を送受信する「ノードＢ」２０６／２１０と、「ノードＢ」２０６／２１０ネットワーク要素とコアネットワーク２３６との通信を管理する無線ネットワーク制御装置（ＲＮＣ）２０８／２１２とを含むことができる。ＧＳＭ無線通信ネットワークにおけるＭＳ２０４とは異なり、ＵＥ２０２は、２つ以上の無線ネットワークサブシステム（ＲＮＳ）２１６に同時に接続できる。１つのＲＮＳ２１６は、プライマリノードＢ２０６を介してＵＥ２０２とコアネットワーク２３６との論理接続を維持する「サービング」無線ネットワーク制御装置（ＳＲＮＣ）２０８を含むことができる。第２のＲＮＳ２１６は、プライマリノードＢ２０６を介して無線リンクを補足するセカンダリノードＢ２１０を介して更なる無線リンクリソースを提供する「ドリフト」無線ネットワーク制御装置（ＤＲＮＣ）２０８を含むことができる。
【００２１】
ＵＭＴＳ無線通信ネットワークは、広帯域符号分割多元接続（Ｗ−ＣＤＭＡ）として既知である無線通信無線リンク技術を使用できる。Ｗ−ＣＤＭＡ送信は、直接シーケンススペクトル拡散変調に基づいてかなり広範な帯域幅を占有できる。ＵＭＴＳネットワークにおけるＵＥ２０２とＲＮＳ２１６との間の送信は、拡散コードにより変調されてよく、ＲＮＳ２１６に接続された各ＵＥ２０２は、異なる拡散コードを使用するが、同一の周波数スペクトルを使用して同時に送信できる。受信された信号は、適切に一致した逆拡散コードでそれらを相関することで復調される。Ｗ−ＣＤＭＡにおいて使用された拡散コードの集合が互いに直交しうるため、特定のＵＥ向けの信号は、その信号の全てが重複し且つ同時に同一の周波数スペクトルを使用できても、他のＵＥに送信された信号から分離される。ＵＭＴＳ拡散スペクトル信号は、ＧＳＭ信号により使用されたより狭い２００ｋＨｚのチャネル帯域幅と比較してより広範な５ＭＨｚのチャネル帯域幅を占有できる。
【００２２】
ＵＥ２０２がＲＮＳ２１６に通信するために、特定の周波数及び拡散コードを有する無線アクセスベアラ（ＲＡＢ）等の無線リソースは、ＵＥ２０２からのサービス要求に応答してＲＮＳ２１６により割り当てられてよい。無線リソースは、要求され且つ使用可能である場合に割り当てられ、多数のＵＥ２０２間で無線周波数スペクトルを共有するために使用されない場合に割り当てを解除される。無線通信ネットワークのＧＰＲＳ機能性を使用するために、ＵＥ２０２は、ネットワークに「接続」し且つパケットデータプロトコル（ＰＤＰ）コンテキストを「アクティベイト」できる。ネットワークに接続することにより、ＵＥ２０２は自身を識別し、無線通信ネットワーク１００はＵＥ２０２の位置を確認する。ＰＤＰコンテキストをアクティベイトすることにより、ＵＥ２０２とＲＮＳ２１６との間の「エア」インタフェースで無線リソースを介したＩＰトラフィック転送が可能になる。ＵＥ２０２は、ＩＰアドレスを取得し、且つＵＭＴＳネットワークを介してサービス品質（ＱｏＳ）プロファイルとの論理接続を確立できる。ＵＥ２０２は、多数のＰＤＰコンテキストを同時にアクティベイトでき、各ＰＤＰコンテキストは異なるＲＡＢを使用できる。
【００２３】
図３は、ＵＥ２０２に対する簡単な状態図３００である。ＵＥ２０２は、無線通信ネットワーク１００においてＧＰＲＳモビリティ管理システムに接続されない場合にモバイル管理（ＭＭ）アイドルモード等の非アクティブ状態３０２であってよい。ＰＤＰコンテキストがアクティベイトされる（遷移３０６）場合、ＵＥ２０２の状態は、アクティブ状態３０４に変化してよい。ＰＤＰコンテキストと関連付けられたＱｏＳプロファイルに変化する場合等のＰＤＰコンテキストを修正する（遷移３１０）場合でも、ＵＥ２０２はアクティブ状態３０４のままであってよい。アクティブ状態３０４の間、ＵＥ２０２に割り当てられた無線リソース（例えば、無線アクセスベアラ）は、ＵＥ２０２と関連付けられるＲＮＳ２１６におけるサービング無線ネットワーク制御装置（ＳＲＮＣ）２０８の要求で解放される。ＰＤＰコンテキストは、関連付けられたＲＡＢが解放される場合でもコアネットワーク（ＣＮ）２３６により保存されたままであってよい。関連付けられたＲＡＢを有さないアクティブなＰＤＰコンテキストに対してＲＡＢを再確立するために、ＵＥ２０２は、サービス要求メッセージを新しい無線リソースの割り当てを要求するＲＮＳ２１６に送出できる。ネットワーク輻輳の結果、ＲＡＢが割り当てられないが、ＵＥ２０２はアクティブ状態のままであってよい。データ接続が必要なくなった場合、ＰＤＰコンテキストがディアクティベイトされ（遷移３０８）、ＵＥ３０２は非アクティブ状態３０２に戻れる。
【００２４】
図４は、ＵＥ２０２等の移動無線通信デバイス１０６の一般的な構成要素を示す。アプリケーションプロセッサ（ＡＰ）４０２は、ＩＰスタックの維持、並びにデータ接続の要求及び解放等の上位層機能を実行できる。移動無線通信デバイス１０６の送受信機（ＸＣＶＲ）４０４は、無線通信ネットワーク１００においてＲＮＳ２１６に対する無線「エア」インタフェースを介して上位層シグナリングに対応する下位層パケット及びデータパケットを送受信できる。
【００２５】
図５は、無線通信ネットワーク１００において移動無線通信デバイス１０６（ＵＥ２０２に等しい）のＡＰ４０２とコアネットワーク２３６との間に上位層ＰＤＰコンテキスト５０４を確立できることを示す。この上位層ＰＤＰコンテキスト５０４は、無線ネットワークサブシステム（ＲＮＳ）２１６内で送受信機４０４とノードＢ２０６との間の下位層無線アクセスベアラ（ＲＡＢ）５０２によりサポートされる。ＰＤＰコンテキスト５０４は、無線通信ネットワーク１００の無線アクセス部分に対して割り当てられた無線リソース（下位層ＲＡＢ５０２）を全く用いずにアクティブであってよいが、データパケットは、コアネットワーク（ＣＮ）２３６を介してＡＰ４０２と公衆データネットワーク（ＰＤＮ）２３４との間で通信不可能である。パケットデータバッファ及び送受信機４０４が空であり、且つタイマの期限が切れる場合等の移動無線通信デバイス１０６のデータ接続がアイドル状態である場合、ＲＮＳ２１６のインアクティビティタイマは、他の移動無線通信デバイスが使用する「コストの高い」無線リソースを解放してよい。サービング無線ネットワーク制御装置（ＳＲＮＣ）２０８は、インアクティビティタイマに基づいて又は移動無線通信デバイス１０６からのシグナリング接続解放指示に応答してシグナリング接続解放を送出できる。多数のネットワーク構成要素がＰＤＰコンテキストの確立に携わる可能性があるため、ＰＤＰコンテキスト５０４は設定に十分な時間を必要とするだろう。従って、ＲＡＢが割り当てられない場合でも、ＰＤＰコンテキスト５０４はアクティブなままであってよい。ＸＣＶＲ４０４は、送信するためにＡＰ４０２から更なる上位層パケットを受信する場合、次に説明するようにシグナリングメッセージの交換により新しい上位層パケットが転送される無線リソースを要求できる。通常のネットワーク負荷条件の下で、新しい無線アクセスベアラ５０２の確立は、全く新しいＰＤＰコンテキスト５０４を設定するよりも速いだろう。
【００２６】
図６は、保留データパケットが転送される無線リソースの割り当てを要求するためのＵＥ２０２とＲＮＳ２１６との間のシグナリングメッセージ交換６００を示す。サービス要求６０２は、ＵＥ２０２からＲＮＳ２１６に送出される。尚、このシグナリングメッセージ交換６００は、データパケット転送をサポートするように要求されているものとは別のシグナリング無線リソースを使用できる。シグナリング無線リソースは、多数のＵＥ２０２により共有され且つ限られたスループット機能しか提供できないため、大量のパケットデータトラフィックをサポートできない。ＵＥ２０２とＲＮＳ２１６とのシグナリング接続を確立するためにいくつかの連続したステップを実行でき、これらは、ＲＮＳ２１６のＳＲＮＣ２０８と無線リソース制御（ＲＲＣ）接続（ステップ６０４）を確立することと、それに続く、ＣＮ２３６への直接転送メッセージング及びＵＥ２０２の認証を保証するためのセキュリティモード手順６０８とを含む。シグナリング接続を確立した後、ＲＮＳ２１６は、無線アクセスベアラ（ＲＡＢ）、すなわち無線リソースをＵＥ２０２に割り当てることができ（６１０）、確立されたデータ接続上でパケットデータを転送できる。図６の一連のステップは、ＵＥ２０２への無線リソース割り当ての要求が成功したことを示す。
【００２７】
図７は、ＵＥ２０２に対する無線リソース割り当ての要求が失敗したことを示す。図７において、ＲＮＳ２１６は、シグナリング接続を確立し、ＲＲＣ接続リリースメッセージ７０４を送出することでシグナリング接続を解放する。この場合、無線リソースはＵＥ２０２に割り当てられず、ＵＥ２０２は、成功できない理由を認識できない。場合によっては、ＲＮＳ２１６は、シグナリング接続を確立した後でオプションのサービス受け入れメッセージ７０２を送出し、且つ実際には無線リソースを割り当てずに後でＲＲＣ接続７０４を解放できる。いずれの場合においても、ＵＥ２０２は、無線アクセス部分が確立されない時にデータ接続上でデータパケットを送出できない。
【００２８】
図８は、別の失敗した無線リソースサービス要求を示す。図８において、ＲＮＳ２１６は、シグナリング接続を確立した後でサービス拒否メッセージ８０２を送出する。サービス拒否メッセージ８０２は、サービス拒否の理由を含むことができる。ＲＮＳ２１６は、ＲＲＣ接続リリースメッセージ７０４を送出することにより、後でシグナリング接続を解放できる。ここでも、無線リソースはＵＥ２０２に割り当てられない。未送出のままであるために、ＵＥ２０２のデータバッファにおいて保留であり続けてもよい保留データパケットにより最初のサービス要求が早められるため、ＵＥ２０２は、単一の保留パケット９００に対して図９に示されるような繰り返しサービス要求を生成できる。図９を簡略化するために、図６〜図８に示されたようなシグナリング接続を確立するステップは、示されないが、行われてよい。
【００２９】
図９に示されるように、無線リソースがＵＥ２０２に全く割り当てられない状態で、サービス要求９０２にサービス失敗９０４が後続するだろう。図６〜図８は、代表的な無線リソースサービス要求の失敗を示す。ＲＮＳ２１６からのサービス失敗応答９０４は、ＲＮＳにより更に送出されないか、あるいはＵＥ２０２のＸＣＶＲ４０４により受信されない。各サービス要求９０２に後続して、ＵＥ２０２のＸＣＶＲ４０４は、サービス要求９０２を繰り返す前にリトライ間隔９０６を待ってよい。リトライ間隔９０６は、ＵＥ２０２により規定される。ＸＣＶＲ４０４がサービス要求手順を放棄し且つ保留パケットを破棄できる（ステップ９０８）前に、最大数のサービス要求をリトライできる。例示的な一実施形態において、リトライ間隔９０６は、個別に１０秒〜３０秒に設定され、リトライの最大数は、保留パケット９００毎に２〜４に設定される。（リトライ間隔９０６に対する他の零でない整数値及び最大数のリトライが更に使用可能である。）単一の保留パケット９００の結果、保留データパケットが転送されるＵＥ２０２に無線リソースを割り当てることを複数回試みる間に、ＸＣＶＲ４０４とＲＮＳ２１６との間でかなりの数のシグナリングメッセージがやり取りされることになる。
【００３０】
ＵＥ２０２のＡＰ４０２における上位層機能は、無線リソース割り当ての不足を認識できず、送信するために更なるデータパケットをＸＣＶＲ４０４に送出し続ける結果、データパケットの深いバックログが発生しうる。各データパケット９００は、サービス要求９０２の新しいシグナリングメッセージのセットを生成し、過負荷であるシグナリング無線リソースによって、ネットワークを混雑させる。図１０は、４つの保留データパケット１００２／１００４／１００６を示す。各データパケットは、最大数のサービス要求（ＳＲ）リトライを生成し、連続したサービス要求は、リトライ間隔９０６により離間される。ＸＣＶＲ４０４の相対的に深いデータパケットバッファを用いて、ＡＰ４０２が５０〜１００を超えるデータパケットを１分以内にＸＣＶＲ４０４に送出できることにより、ＸＣＶＲ４０４により生成される数百のサービス要求がＲＮＳ２１６に送出される。その結果、非常に多数のシグナリングメッセージがＸＣＶＲ４０４とＲＮＳ２１６との間で送信され、且つ既に輻輳した無線アクセスネットワークに過負荷をかける。無線リソースが使用不可である場合にＰＤＰコンテキストがアクティブなままであってよいため、ＡＰ４０２における上位層アプリケーションは、無線リソースの遮断を認識できず、前のデータパケットに対する確認応答が受信されない場合に、ＲＮＳ２１６に送信するためにデータパケットをＸＣＶＲ４０４に自動的に再送信できる。
【００３１】
図１１は、ＵＥ２０２のＸＣＶＲ４０４と無線通信ネットワーク１００におけるＲＮＳ２１６との間の変形された無線リソースシグナリングによる方法に対するメッセージシーケンス１２００を示す。割り当てが要求される同一の無線リソースを全ての保留データパケットに対して使用できるため、保留上位層データパケット毎に新しいサービス要求のセットは必要とされない。保留データパケットの各々に対して最大数のサービス要求リトライを送出するのではなく、リトライカウンタは、新しい上位層データパケットの各々がＡＰ４０２からＸＣＶＲ４０４により受信される時にリセットされる。最大数のリトライは、保留データパケットの各々に対してではなく、全ての保留データパケットに対して適用される。図１１に示されるように、第１のデータパケット１００２は、サービス要求の第１のシーケンスを開始できる。サービス要求の第１のシーケンスの実行中、第２のデータパケット１００４はＸＣＶＲ４０４により受信され、新しいサービス要求の第２のシーケンスを開始できる。新しいサービス要求の第２のシーケンスは、新たに受信した第２のデータパケット１００４及び最初に受信したデータパケット１００２の双方を含むことができる。第１のパケット１００２に対するサービス要求の第１のシーケンスのみが効率的に終了できる。
【００３２】
サービス要求の第２のシーケンスの間、第３のデータパケット１００６は、全ての３つの保留データパケットに適用可能な更に別の新しいサービス要求のシーケンスをトリガするＸＣＶＲ４０４により受信される。ＲＮＳ２１６により無線リソースが割り当てられない場合、ＸＣＶＲ４０４は、最大数のサービス要求リトライを含むサービス要求のシーケンスを送出した後に全ての保留データパケットを破棄してよい。サービス要求のシーケンスは、随時、現在保留中の全てのデータパケットに適用可能である。
【００３３】
ＸＣＶＲ４０４のデータパケットバッファは、保留データパケットの総数を制限する閾値を含むことができるため、オーバフローを回避できる。データバッファのデータパケットの数が閾値を超える場合、新しいデータパケットが受信される時に最も古いデータパケットが破棄され、データバッファのより新しいデータパケット用の空間を残す。タイムスタンプはデータパケットと更に関連付けられ、時間閾値よりも長く保留のままのパケットは破棄される。
【００３４】
図１２は、ＸＣＶＲ４０４とＲＮＳ２１６との間の無線リソースシグナリングを変形する別の方法に対する第２のシーケンス１２００を示す。第１の保留データパケット１００２に対するサービス要求の第１のセットを送出した後、ＵＥ２０２におけるパケットデータ制御手順（ＰＤＣＰ）は、無線通信ネットワークの無線アクセス部分が繰り返しサービス要求に応答して無線リソースを割り当てていないことを示すことができる「ストール」状態に変化してよい。ストール状態の間、ＵＥ２０２は、ＸＣＶＲ４０４の保留データパケットバッファに対する閾値をより小さな値に変更してよい。その結果、保留データパケットバッファがより迅速にオーバフローできるために、より古いデータパケットをより早く破棄できる。例えば、ストール状態に変化した後にパケットデータバッファが２つのデータパケットのみの閾値に減少される場合、保留パケット＃１は、パケット＃３が到着する時にデータパケットバッファのオーバフローのために破棄される。
【００３５】
多数のサービス要求の各セットに対する連続したサービス要求間のリトライ間隔は、失敗した多数のサービス要求シーケンスの各々の後に更に長くなる可能性がある。例えばリトライ間隔は、サービス要求の各セットの後に最大リトライ間隔値に向けて倍になる可能性がある。代表的な一例として、サービス要求のセット毎の初期リトライ数がサービス要求手順において４に設定された場合に、初期リトライ間隔は３０秒であってよい。最初の４つのサービス要求リトライの後、初期リトライ間隔は、６０秒まで長くなり、その後再度１２０秒まで長くなる可能性がある。次のサービス要求手順（不図示）の場合、リトライ間隔は、１８０秒の最大リトライ間隔値（前のリトライ間隔の倍より小さい）の限度に達する。最大リトライ間隔値は、依然として輻輳からの回復が悪影響を受けていないことを保証しつつ、無線通信ネットワークへの全体的なシグナリング負荷を最小限にするレベルに設定される。
【００３６】
ＲＮＳ２１６が無線アクセスベアラをＵＥ２０２に割り当てる場合、ＰＤＣＰは、「ストール」状態から再度「正常な」状態に変化し、保留データパケットバッファの閾値は、初期値にリセットされる。リトライ間隔も初期値に設定される。図１１及び図１２に示された２つのサービス要求シーケンスに加え、ＸＣＶＲ４０４は、ＸＣＶＲ４０４により判定されるように、ストールネットワーク状態が存在する時をＡＰ４０２に通知できる。ストールネットワーク状態を認識した後、ＡＰ４０２は、ストールネットワーク状態が収まるまでＸＣＶＲ４０４に送出されるデータパケットの数及び頻度を制限することを選択できる。ＸＣＶＲ４０４に送出されるデータパケットの量を制限することにより、データパケットを受信することに応答してＸＣＶＲ４０４により生成されるサービス要求の数を制限できるため、ネットワーク輻輳が改善するまで無線アクセスインタフェース上のシグナリングトラフィックを減少できる。
【００３７】
図１３は、無線アクセスネットワークリソース輻輳に対処する無線リソースシグナリングを変形する代表的な方法１３００を示す。図１３に示された方法１３００は、図１１に示されたシーケンス１１００に対応してよい。ステップ１３０２において、ＵＥ２０２のＸＣＶＲ４０４は、無線通信ネットワークに送信するためにＵＥ２０２のＡＰ４０２における上位層処理から送出された保留データパケットが存在するかを確認できる。１つ以上の保留パケットがバッファに存在する場合、ＸＣＶＲ４０４は、新しいデータパケットが保留データパケットバッファで受信されたかをステップ１３０４で判定できる。受信された新しいデータパケットにより、ステップ１３０６でリトライカウンタを初期最大リトライカウンタ値にリセットできる。新しいデータパケットを受信しなかった場合、ＸＣＶＲ４０４は、ステップ１３１６でリトライカウンタが零であるかを判定できる。リトライカウンタが零であることは、保留データパケットに対して最大数のリトライが実行されたことを示しうる。方法は終了してよい（また、保留データパケットは破棄される）。最大数のサービス要求リトライが実行されなかった、すなわちリトライカウンタが零でない場合、あるいはステップ１３０４で新しいデータパケットを受信した後にステップ１３０６でリトライカウンタをリセットした後、サービス要求がステップ１３０８でＸＣＶＲ４０４によりＲＮＳ２１６に送出される。ＲＮＳ２１６は、保留データパケットが無線通信ネットワークに送信される無線リソースを要求する。無線アクセスベアラ（ＲＡＢ）がステップ１３１０で割り当てられる場合、方法は終了してよい。しかし、無線リソースが割り当てられない場合、ステップ１３１２でリトライカウンタは減分される。ステップ１３１４でリトライ間隔を待った後、新しいデータパケットが受信されたかを確認するためにＸＣＶＲ４０４が戻ることにより、サービス要求リトライ手順を再開できる。図１３に示された方法１３００の結果、保留データパケット毎に少なくとも最大リトライ値数のリトライが行われる。従って、全ての保留データパケットは、少なくとも最小数のサービス要求リトライを受信できる。無線リソースに対するサービス要求の各々は、ＸＣＶＲ４０４のデータバッファの全ての保留データパケットに適用可能である。
【００３８】
図１４は、無線アクセスネットワークリソース輻輳が存在する時に無線リソースを要求する場合の無線リソースシグナリングを変形する第２の方法１４００を示す。ステップ１４０２において、ＵＥ２０２のＸＣＶＲ４０４は、ＡＰ４０２から受信した第１の保留データパケットに対して無線アクセスリソースに対するサービス要求の最大リトライ値を送出できる。ステップ１４０２中にＲＮＳ２１６により無線アクセスリソースが割り当てられない場合、ＵＥ２０２は、無線アクセスネットワークが輻輳する（すなわち、ストール状態にある）ことを識別できる。ストール状態において、ＵＥ２０２は、ステップ１４０４で保留データパケットバッファに対する閾値を低減できる。それにより、より古い保留データパケットは、より迅速に保留データパケットバッファから流される。ステップ１４０６において、低減された閾値を上回る全ての保留データパケットは破棄される。ステップ１４０６を介して第１のサイクルの第１の保留データパケットに対応する最も古い保留データパケット、或いは、一連のサービス要求を行った最新のデータパケットは、たとえ低減された閾値を下回る場合でも更に破棄される。保留データパケットは、保留データパケットに対して最大数のサービス要求リトライが実行された後に破棄される。データパケットを破棄した後、ステップ１４０８において、ＸＣＶＲ４０４は、データバッファに残りの保留データパケットがあるかを判定できる。保留データパケットバッファが空の場合、処理は終了してよい。
【００３９】
保留データパケットが依然として保留データパケットバッファに残っている場合、ステップ１４１０のＸＣＶＲ４０４は、現在のリトライ間隔が最大リトライ間隔値を下回る場合に連続したサービス要求間のリトライ間隔を長くできる。ＸＣＶＲ４０４は、ステップ１４１２で最大数のサービス要求を送出でき、連続したサービス要求の各々は、リトライ間隔値により離間される。ステップ１４１２におけるサービス要求のセットは、保留データパケットバッファの最も古い保留データパケットに適用される。ステップ１４１４において、ＸＣＶＲ４０４は、無線リソース（すなわち、無線アクセスベアラ）がＲＮＳ２１６により割り当てられているかを判定できる。無線リソースが割り当てられていない場合、ステップ１４０６において、最も古い保留データパケットが破棄され且つ処理を繰り返してよい。無線アクセスベアラが割り当てられているか又は保留データパケットバッファが空になると、ステップ１４１６において、リトライ間隔はデフォルトリトライ間隔値にリセットされ且つ処理は終了してよい。
【００４０】
図１３及び図１４に示された方法に加え、無線アクセスリソースに対するサービス要求の数を減少するために他の方法が単独で又は組み合わせて使用可能である。ＸＣＶＲ４０４における下位層ベースバンド処理は、ストール状態（すなわち、不適切な無線アクセスリソースが割り当てられた輻輳したネットワーク）が存在することをＵＥ２０２のＡＰ４０２における上位層処理（例えば、ＩＰスタック管理）に通知できる。ある特定の数の無線リソースに対するサービス要求がある特定の期間内に提出された後、ストール状態はＸＣＶＲ４０４により宣言される。ＡＰ４０２における上位層処理は、送信するために送出されたデータパケットの数及び連続したデータパケット間の期間を管理できる。ＡＰ４０２における上位層処理によるこのような送信の管理により、ＸＣＶＲ４０４の保留データパケットバッファにおいて保留中のデータパケットの数を減少できるため、無線リソースに対するサービス要求の数及び頻度は減少する。代表的な一実施形態において、上位層処理は、ＴＣＰ（伝送制御プロトコル）接続を開始しようとする連続したＴＣＰ  ＳＹＮパケットを拡散するためにストール状態中により長いバックオフタイマを使用できる。上位層処理は、ＩＰアドレスを探す連続したＤＮＳ（ドメインネームサーバ）クエリ間のより長い期間を更に待ってよい。しかし、ＡＰ４０２における上位層処理は、少なくともいくつかのデータパケットをＸＣＶＲ４０４における下位層処理に送出し続けるべきであり、ストール状態が解決されたという表示を待つべきではない。稀な場合、データパケットの安定したストリームは、結果として繰り返しサービス要求がＲＮＳ２１６からの無線リソースを割り当てることを保証するように要求される。保留データパケットが全くない場合、ＸＣＶＲ４０４はサービス要求を全く送出せず、サービス要求がないと、無線リソースは割り当てられない。ＲＮＳ２１６によりＲＲＣ接続が解放されるとＵＥ２０２による無線リソースに対する過去のサービス要求の期限が実質的に切れるため、これによりデッドロック状態が発生する可能性がある。
【００４１】
説明した実施形態の種々の態様は、ソフトウェア、ハードウェア、あるいはハードウェア及びソフトウェアの組み合わせにより実現可能である。説明した実施形態は、製造業務を制御するコンピュータ可読媒体上のコンピュータ可読コードとして又は熱可塑性成形部を製造するのに使用される製造ラインを制御するコンピュータ可読媒体上のコンピュータ可読コードとして更に具体化される。コンピュータ可読媒体は、後でコンピュータシステムにより読み出し可能であるデータを格納できるあらゆるデータ記憶装置である。コンピュータ可読媒体の例としては、読み出し専用メモリ、ランダムアクセスメモリ、ＣＤ−ＲＯＭ、ＤＶＤ、磁気テープ、光データ記憶装置及び搬送波が含まれる。コンピュータ可読媒体は、コンピュータ可読コードが分散的に格納及び実行されるようにネットワークに結合されたコンピュータシステムにわたり更に分散される。
【００４２】
説明した実施形態の種々の態様、実施形態、実現例又は特徴は、別個に使用されてよく又はあらゆる組み合わせで使用可能である。説明の目的のため、上記説明は本発明を完全に理解できるように特定の専門用語を使用した。しかし、本発明を実施するために特定の詳細が必要とされないことは、当業者には明らかとなるだろう。従って、本発明の特定の実施形態の上記説明は、例示及び説明の目的で提示される。上記説明は、本発明を網羅する意図はなく、あるいは本発明を開示された厳密な形式に限定する意図はない。上記教示を鑑みて多くの変更及び変形が可能であることは当業者には明らかとなるだろう。
【００４３】
実施形態は、本発明の原理及びその実際的な応用例を最適に説明し、それにより他の当業者が本発明及び特定の使用に適すると考えられる種々の変更を伴う種々の実施形態を最適に利用できるように選択及び説明された。
【図１】
0005462413.tif 000002
【図２】
0005462413.tif 000003
【図３】
0005462413.tif 000004
【図４】
0005462413.tif 000005
【図５】
0005462413.tif 000006
【図６】
0005462413.tif 000007
【図７】
0005462413.tif 000008
【図８】
0005462413.tif 000009
【図９】
0005462413.tif 000010
【図１０】
0005462413.tif 000011
【図１１】
0005462413.tif 000012
【図１２】
0005462413.tif 000013
【図１３】
0005462413.tif 000014
【図１４】
0005462413.tif 000015